(57)【要約】【課題】本発明は、紙データをパソコン内に取り込み、及び取り出し可能なスキャナー付パソコン、スキャナー付パソコンを用いたデータの読み取り及び取り出しシステムを提供することを課題とする。【解決手段】パソコンに記憶機能を有するスキャナーを一体的に取り付け、該スキャナーを用いてパソコンへのデータの取り込み及び取り出しを行う。【選択図】図１
2013070350.tif 000002
【特許請求の範囲】
【請求項１】
ノート型パソコンに記憶機能を有するスキャナーを一体的に取り付けたことを特徴とするスキャナー付パソコン。
【請求項２】
パソコンに一体的に取り付けられたスキャナーを用いてデータを読み取り、該データを記憶機能に格納し、その後必要とするデータを記憶機能よりパソコン内に取り込み、又はパソコン内のデータをスキャナーの記憶機能に取り出しすることを特徴とするスキャナー付パソコンによるデータ取り込み及び取り出しシステム。
【発明の詳細な説明】
【技術分野】
【０００１】本発明は、スキャナーを用いてパソコンへのデータの取り込み、及びスキャナーを用いてパソコン内のデータの取り出しを行うスキャナー付パソコン、スキャナー付パソコンによるデータの取り込み及び取り出しシステムに関する。
【技術の背景】
【０００２】通常、各データや写真を直接パソコン内に取り込む際は、各データを記録したメモリーカード等の記憶媒体を介してパソコンに取り込むか、又はケーブルを介して連結したスキャナー機能を有するプリンターを用い、該スキャナーで読み込んだデータをパソコンに伝送してパソコンに取り込む方法が用いられている。
【０００３】また、パソコン内に取り込まれたデータの取り出しは、メモリーカード等の記憶媒体への保存、ネットワークを介しての送信、又はプリンターでの印刷による方法が一般的に行われている。
【発明が解決しようとする課題】
【０００４】しかしながら、記録媒体に記憶されていないデータ、例えば、紙データは、スキャナーを利用しなければパソコンに取り込めないが、スキャナー機能を有するプリンターとパソコンとのケーブル配線の煩雑さ、プリンターを設置するスペースの確保という問題点があった。
【０００５】また、ネットワークを用いる場合も初期設定の煩雑さ、一定の範囲内での利用の制限という問題点があった。
【０００６】また、通常ノート型のパソコンは持ち運んで使用するために、スキャナー機能を有するプリンターが無い場所では、印刷された紙データを直ぐにパソコンへ取り込むことができないという欠点があった。
【０００７】同様に、プリンターが無い場所ではパソコン内の必要なデータを取り出す場合、記憶媒体を介して取り出すのが一般的であるが、パソコンの種類、年式により利用できない記憶媒体がある。
【０００８】そこで、本発明は上記問題点を解消し、取り扱いが容易で、自在にデータの取り込み及び取り出しのできるスキャナー付パソコン、スキャナー付パソコンによるデータ取り入れ及び取り出しシステムを提供することを課題とする。
【課題を解決するための手段】
【０００９】上記課題を解決する構成は、請求項１に記載のように、ノート型パソコンに記憶機能を有するスキャナーを一体的に取り付けたことを特徴とする。
【００１０】また、上記課題を解決するシステムは、請求項２に記載のように、パソコンに一体的に取り付けられたスキャナーを用いてデータを読み取り、該データを記憶機能に格納し、その後必要とするデータを記憶機能よりパソコン内に取り込み、又はパソコン内のデータをスキャナーの記憶機能に取り出しすることを特徴とする。
【発明の作用・効果】
【００１１】次に、本発明のスキャナー付パソコン、スキャナー付パソコンを用いたデータの取り込み及び取り出しシステムの作用効果について説明する。
【００１２】先ず、本発明のスキャナー付パソコンは、スキャナーがパソコンに一体的に設けられているために、パソコンの操作で自在にスキャナー機能を利用できる。
【００１３】特に携帯を目的とするノート型のパソコンにおいては、パソコンを利用する際、あらゆる場所でスキャナーによるデータの取り込みという新たなデータの取り込み方法を提案できる。
【００１４】次に、スキャナー付パソコンを用いた取り込み及び取り出しシステムは、先ず、パソコンを作動してスキャナーの読み取りを指示し、パソコンよりスキャナーを取り外し、文章、図面、写真等の紙データをスキャナーで読み取り、該データをスキャナーの記憶機能に記憶した後、パソコンの操作で記憶されたデータをパソコン内に伝送し、パソコン内に取り込むことができる。
【００１５】従って、パソコンのみを持ち運んで、容易に紙データを取り込むことができる。
【００１６】また、メモリーカード等の記憶媒体を忘れた場合でも、パソコン内のデータをスキャナーで読み取り、データを取り出しすることができる。
【００１７】次に、パソコン内よりデータを取り出す場合は、先ずパソコンを操作して取り出すデータをスキャナーの記憶機能に伝送して格納することで、パソコンよりデータを取り出す。
【００１８】このように、本発明は、スキャナーをパソコンに一体的に取り付けることで、プリンターが無い場合でも紙データを取り込みでき、また、パソコン内のデータをスキャナーで取り出しできるので、新たなデータの取り入れ及び取り出しシステムが可能となる。
【００１９】また、その構成も簡易であり、故障によるトラブルが少なく取り扱いが容易である。
【００２０】特に、ノート状で携帯用のパソコンにおいては、どこにでもパソコンを携帯し紙データをスキャナーで読み取りできるという大きな効果がある。
【発明を実施するための最良の形態】
【００２１】本発明の実施の形態について説明する。【００２２】図１は、本発明のスキャナー付パソコンの一実施例の構成を示す概略説明平面図であり、図２は図１のスキャナー付パソコンの概略説明正面図であり、図３はスキャナーの構成を示す概略説明図であり、図４は、本発明のスキャナー付パソコンを使用したデータの取り込みシステムを示すフローチャートであり、図５は本発明のスキャナー付パソコンを使用したデータの取り出しシステムを示すフローチャートである。【００２３】本発明のスキャナー付のパソコン１（パーソナルコンピュター）は、キーボード等の操作板２と液晶の表示板３の設けられたノート型パソコンであり、表示板３の長側面に沿ってハンディー型のスキャナー４が着脱自在に設けられている。【００２１】上記スキャナー４は、所望の長さのコードを介して端子（例えば、ＵＳＢ端子等）が取り付けられ、該端子をパソコン１の端子と連結することで一体的に設けられている。【００２２】上記スキャナー４は、データ読み取り部としてのイメージセンサー８の受光面と、イメージセンサー８によって読み取られたデータを格納する記憶機能としての画像メモリ部９が設けられ、画像処理回路１０によりイメージセンサー８の画像入力の制御、イメージセンサー８によって読み取られたデータを画像メモリ部９に格納し、インターフェースコントロール回路１１を介してパソコン１のスキャナー４からの信号入出力を行なう【００２３】次に、上記パソコン１を用いてデータの読み込み及び取り出しについて説明する。【００２３】先ず、メモリーカード等の記録媒体に記憶されたデータは直接記録媒体をパソコン２にセットして取り入れるが、紙データ、写真、グラフはパソコン１を操作しスキャナー４を用いたデータ読み取りの指示した後、表示板３に取り付けられたスキャナー４を取り外し、該スキャナー４のイメージセンサー８の受光面をデータに密接して移動することで画像処理回路１０を介して画像入力の制御されたイメージセンサー８で紙データを読み込み、該読み込んだデータを画像メモリ部９に格納する。【００２４】この際、連続してデータを読み込む場合は上記作用を繰り返すことで、連続したデータを画像メモリ部９に格納する。【００２５】その後、パソコン１のデータ取り込み操作で前記画像メモリ部９より必要なデータをパソコン１内に取り込み、パソコン内で編集等の次の作業を行う。【００２６】この際、スキャナー４が表示板３の横又は縦方向と同一の長さに形成されているために、紙データを読み込みが、Ａ４サイズまで一度に読み込みできることとなる。【００２７】このため、スキャナー機能を有するプリンターがない場所においても紙データ等を容易にパソコン１に一体的に設けられたスキャナー４で読み取り、該データ等をパソコン１内に取り込むことができる。【００２８】次に、パソコン１内のデータを取り出す場合に、通常は記録媒体に保存して取り出すが、本発明のパソコン１にはスキャナー４が一体的の設けられているために、パソコン１のスキャナー４を利用したデータ取り出し操作で、画像処理回路１０を介して必要とするデータをスキャナー４の画像メモリ部９に伝送し格納することでデータの取り出しを行うことができる。【００２９】また、他の方法としてパソコン１を操作し必要とするデータを表示板３に表示し、該データをスキャナー４のイメージセンサー８の受光面に密接して読み取り、該データを画像メモリ部９に格納することで取り出すことも可能である。【００３０】このため、記録媒体はない場合、又は少量のデータを取り出す場合に、最適な方法としてスキャナー４によるデータの取り出しを可能とする。【００３１】このように、本発明のスキャナー付パソコン１は、スキャナー４によるデータの取り込み及び取り出しという新たな手段を提供し、従来にない利用を可能とする。【００３２】特に、持ち運ぶ場合が多いノート型のパソコン１において、プリンターがない場合であっても容易に利用することができる。【００３３】また、上記スキャナー付パソコン１のスキャナー４を表示板３の側面にハンディータイプのスキャナー４を取り付けたが、本願発明においてスキャナー４の取り付けはこれに限定するものでなく、例えば、表示板３の表面に平面状のスキャナー４を取り付け、紙データをスキャナー４に挟んで読み取りすることも可能である。
【図面の簡単な説明】
【００３４】
【図１】本発明のスキャナー付パソコンの一実施例を示す概略説明平面図
【図２】図１のスキャナー付パソコンの概略説明正面図
【図３】本発明のスキャナーの構成を示す概略説明図
【図４】本発明のスキャナー付パソコンを用いたデータの取り込みシステムを示すフローチャート
【図５】本発明のスキャナー付パソコンを用いたデータの取り出しシステムを示すフローチャート
【符号の説明】
【００３５】１−スキャナー付パソコン、２−操作板、３−表示板、４−スキャナー
【図１】
2013070350.tif 000003
【図２】
2013070350.tif 000004
【図３】
2013070350.tif 000005
【図４】
2013070350.tif 000006
【図５】
2013070350.tif 000007